(57)【要約】【課題】フロアレイアウトに従った通路図の作成、フロアレイアウトの変更による新しい通路図の作成を簡単に行うことを課題とする。  【解決手段】  通路の分岐点、終点、曲がり角等に仮想ノードを配置し、且つこのノードに通路の延びる方向、場合によっては通路の幅をもデータとして付加し、各ノードの持つデータによって通路図を自動作成する。またフロアレイアウトの変更に対しても、仮想ノードの追加、削除、移動と、仮想ノードに付加された方向データ等の追加、削除、変更によって変更後の通路図を自動作成する。【選択図】図２
2006323036.tif 000002
【特許請求の範囲】
【請求項１】
地図上あるいはフロアレイアウト上の通路の交点、分岐点、終点、あるいは曲がり角に仮想的なノードを配置し、前記ノードは通路の延びる方向を指示するデータを有しており、隣接するノード間を両ノードの方向指示データに従ってリンクで結ぶことにより、通路図を作成することを特徴とするノードと方向指示による通路図作成方式。
【請求項２】
地図あるいはフロアレイアウトに変更があった場合、追加、変更あるいは削除された通路の交点、分岐点、終点、あるいは曲がり角にノードを追加あるいは既存のノードを削除し、また既存のノードの方向指示データを追加あるいは削除することによって、リンクを追加あるいは削除し、変更後の通路図を作成することを特徴とする請求項１に記載のノードと方向指示による通路図作成方式。
【請求項３】
ノードはリンクの延びる方向を指示するデータと共にリンクの幅のデータも有し、通路の幅も表示した通路図を作成することを特徴とする請求項１あるいは請求項２に記載のノードと方向指示による通路図作成方式。
【請求項４】
階段前、踊り場、エレベータ前、エレベータ内、エスカレータ前等にノードを配置し、該ノードにおいては上下方向に対しても方向指示をすることを特徴とする請求項１ないし請求項３に記載のノードと方向指示による通路図作成方式。
【発明の詳細な説明】
【技術分野】
【０００１】
本発明は、地図あるいはフロアレイアウト上に通路図を作成、あるいは変更を加える場合に、通路図を自動的に作成する通路図作成方式に関する。
【背景技術】
【０００２】
従来、通路図は、地図あるいはフロアレイアウトを作成することによって作られていた。従って地図あるいはフロアレイアウトの作成には多大の労力を必要とした。
【特許文献１】特開２００２−８１９５７（P２００２−８１９５７A）号公報
【発明の開示】
【発明が解決しようとする課題】
【０００３】
しかしながら、上記のような従来の方式では、地図あるいはフロアレイアウトに変更が生じた場合、地図あるいはフロアレイアウトの全面的な作り直しが必要となり、多大な労力を必要とした。
【課題を解決するための手段】
【０００４】
上記の課題を解決するために請求項１に記載の発明は、地図上あるいはフロアレイアウト上の通路の交点、分岐点、終点、あるいは曲がり角に仮想的なノードを配置し、前記ノードは通路の延びる方向を指示するデータを有しており、隣接するノード間を両ノードの方向指示データに従ってリンクで結ぶことにより通路図を作成する。
【０００５】
本発明の請求項２に記載のノードとリンクによる通路図作成方式は、請求項１に記載の発明において、地図あるいはフロアレイアウトに変更があった場合、追加あるいは削除された通路の交点、分岐点、終点、あるいは曲がり角にノードを追加あるいは既存のノードを削除し、また既存のノードにリンクの方向指示データを追加あるいは削除することによってリンクを追加あるいは削除し、変更後の通路図を作成する。
【０００６】
本発明の請求項３に記載のノードとリンクによる通路図作成方式は、請求項１、あるいは請求項２に記載の発明において、ノードはリンクの延びる方向を指示するデータと共にリンクの幅のデータも有し、通路の幅も表示した通路図を作成する。
【０００７】
本発明の請求項４に記載のノードとリンクによる通路図作成方式は、請求項１ないし請求項３に記載の発明において、階段前、踊り場、エレベータ前、エレベータ内、エスカレータ前等にノードを配置し、該ノードにおいては上下方向に対しても方向指示をする。
【発明を実施するための最良の形態】
【０００８】
デパートの売り場レイアウト、事務所のレイアウトは変更されることが多く、案内用の通路図をその都度書き直すには多大の労力と時間が必要であった。本発明では直線で表される通路を一つのリンクとみなし、要所、要所に仮想的なノードを配置し、各ノードはリンクが延びる方向のデータを持ち、ノードの増減、およびノードにおけるリンクの延びる方向のデータの増減を指示することによって、自動的に変更後の新しい通路図を作成する。
【実施例】
【０００９】
図１はエレベータと階段を有する事務所のあるフロアの平面図の一部で、A、B、C、D、Eの５つの事務室から構成されている。
【００１０】
この平面図に仮想的なノードとして、先ずノード１からノード５までを配置する。ここでノード１の右方向のノード、ノード３およびノード５の上方向のノードは通路がもっと先まで延びているという前提で省略されている。
【００１１】
これに、エレベータ前、上り階段、下り階段の前にはそれぞれノードE（Elevator）と２つのノードS（Stair）を配置する。また、エレベータ内にもノードC（Cage）を配置し、階段の踊り場にも上り、下りの２つのノードP（Pace）を配置する。エスカレータについては階段と同様に考えることが出来るが、階段は両方向に歩けるがエスカレータは一方向であることだけが異なる。
【００１２】
図２は、図１の方向指示データ、即ちノードに付加された矢印に従ってリンクを張った図で、リンクが即ち通路を示している。このようにノードを配置し、各ノードに方向データ（図の矢印）さえ付加すれば、通路図は容易に、自動的に作成できる。
【００１３】
図３は図１のフロアが拡張されて、事務室F、G、H、I、J、Kが新設されると共に、事務室EはE１とE２に二分され間に通路が新設され、また事務室Bの一部が通路となり、事務室B‘に縮小された場合の、ノードとリンクの方向（矢印）を示したものである。
【００１４】
図３においては、図１に対し、ノード２に矢印が２つ追加され、ノード５に矢印が１つ追加され、ノード６とノード７が矢印と共に追加されている。
【００１５】
これだけの作業をするだけで、各ノード間の矢印をリンクで結べば、図４に示すように、変更後の通路図が完成する。
【００１６】
上記の図２、図４の例で、ノードの方向指示データにその方向のリンクの幅データを持たせておけば、通路の幅も表示した通路図が出来上がる。
【００１７】
図５は、階段およびエレベータを横から見た断面図で、それぞれ最下階、中間階、最上階について表示したものである。この場合にはノードにおけるリンクの方向指示が水平面上に止まらず、上下方向にも指示される。
【００１８】
このような上下方向の通路、あるいは移動機器まで示した通路図は、高層ビルに於けるように複数のエレベータがあり、エレベータによっては止まらない階があるような場合、またエスカレータが途中の階までしか設置されていないような場合には有効である。
【産業上の利用可能性】
【００１９】
コンピュータ内に仮想ノードとリンクの延びる方向データ、必要によってはリンクの幅データを記憶しておけば、通路図が自動的に作成でき、デパートにおけるショウケースの配置換え、事務所における事務室の配置換え等があった場合の通路図の作り変えも、ノードの追加、削除、移動と、各ノードのリンクの延びる方向データを変更するだけで、変更後の通路図を自動的に生成可能になる。
【図面の簡単な説明】
【００２０】
【図１】本発明の実施の形態におけるフロアレイアウトに仮想ノードを配置した図である。
【図２】図１の仮想ノードを用いて作った通路図である。
【図３】図１のフロアレイアウトを拡張、変更した場合の仮想ノードの配置図である。
【図４】図３の仮想ノードを用いて作った通路図である。
【図５】エレベータと階段の上下方向の仮想ノード配置と、リンクの方向を示した図の一例である。
【符号の説明】
【００２１】
A〜K    事務室の平面図
【図１】
2006323036.tif 000003
【図２】
2006323036.tif 000004
【図３】
2006323036.tif 000005
【図４】
2006323036.tif 000006
【図５】
2006323036.tif 000007